(57)【要約】【課題】  止水こまを備えて水道本管に取付けられている既設分水栓を、新設サドル分水栓に容易に交換する交換方法。【解決手段】  本管５に形成された分水孔６に立設される既設管８と、既設管８を本管５に取付ける既設サドル４と、既設管８の途中に連結される既設分水管１１と、既設分水管１１に対する分水孔６からの水道水の流れを遮断可能とする止水こま３とを備えた既設分水栓１を、新設サドル分水栓２に交換する交換方法であって、止水こま３を除去する除去工程と、分水孔６に対してガイド４０を立てる設置工程と、止水こま６を除去した後にガイドで誘導して新設サドル分水栓２を本管５に設置する分水栓工程とを備えた。【選択図】  図２０
2020153452.tif 000002
【特許請求の範囲】
【請求項１】
水道本管に形成された分水孔に立設される既設管と、該既設管を前記水道本管に取付ける既設サドルと、前記既設管の途中に連結される既設分水管と、該既設分水管に対する前記分水孔からの水道水の流れを遮断可能とする止水こまとを備えた既設分水栓を、新設サドル分水栓に交換する交換方法であって、
前記止水こまを除去する除去工程と、
前記分水孔に対してガイドを立てる設置工程と、
前記止水こまを除去した後に前記ガイドで誘導して新設サドル分水栓を前記水道本管に設置する分水栓工程と、
を備えたことを特徴とする交換方法。
【請求項２】
前記除去工程は、除去工具を用いて前記止水こまを除去する工程であり、
前記除去工程と前記設置工程との間に、前記除去工具をガイドに交換する除去ガイド交換工程を備えた請求項１に記載の交換方法。
【請求項３】
前記ガイドは、前記除去工程で前記止水こまを除去することで形成された通路を通して前記分水孔まで挿入されることで該分水孔に立てられる請求項１または請求項２に記載の交換方法。
【発明の詳細な説明】
【技術分野】
【０００１】
本発明は、止水こまを備えて水道本管に取付けられている既設分水栓の交換方法に関する。
【背景技術】
【０００２】
特許文献１には、甲形分水栓の撤去方法が記載されている。一般的に甲形分水栓は、水道本管の分水孔に直接取付けられる下胴と、下胴の上に取付けられる上胴と、上胴の上下方向途中に連結される分岐管ソケットと、上胴内に螺合するよう取付けられて上胴内から下胴内へ下移動して、下胴の弁座に着座することで分岐管ソケットに対する水道水の流れを遮断可能に設けられる止水こまとを備える。
【０００３】
特許文献１における甲形分水栓の撤去方法は、止水こま撤去用治具を用いて止水こまを下胴まで下動させて止水した状態で、上胴および分岐管ソケットを取外している。（文献１の図５参照）
【先行技術文献】
【特許文献】
【０００４】
【特許文献１】特開２００３−３１４７７８号公報
【発明の概要】
【発明が解決しようとする課題】
【０００５】
特許文献１の撤去方法は、止水こま撤去用治具を用いて止水こまを下胴まで下動させて止水した状態で、上胴および分岐管ソケットを取外す方法である。
【０００６】
上記従来の甲形分水栓である既設分水栓から新設サドル分水栓に交換する場合には、既設分水栓を撤去しても下胴が残留してしまい、既設分水栓の全てを撤去できない。また、新設サドル分水栓を水道本管に取付けるのに際しても、充分な技能経験が必要であった。
【０００７】
そこで本発明は、止水こまを備えて水道本管に取付けられている既設分水栓を、新設サドル分水栓に容易に交換する交換方法を目的とする。
【課題を解決するための手段】
【０００８】
本発明は、水道本管に形成された分水孔に立設される既設管と、該既設管を前記水道本管に取付ける既設サドルと、前記既設管の途中に連結される既設分水管と、該既設分水管に対する前記分水孔からの水道水の流れを遮断可能とする止水こまとを備えた既設分水栓を、新設サドル分水栓に交換する交換方法であって、前記止水こまを除去する除去工程と、前記分水孔に対してガイドを立てる設置工程と、前記止水こまを除去した後に前記ガイドで誘導して新設サドル分水栓を前記水道本管に設置する分水栓工程とを備えたことを特徴とする。
【０００９】
上記交換方法によれば、除去工程で止水こまが除去されるため、既設分水栓を残留させずに撤去できる。また、分水孔にガイドを立てるので、新設サドル分水栓をガイドで誘導して設置できるから、既設分水栓から新設サドル分水栓に容易に交換できる。
【００１０】
本発明では、前記除去工程は、除去工具を用いて前記止水こまを除去する工程であり、前記除去工程と前記設置工程との間に、前記除去工具をガイドに交換する除去ガイド交換工程を備える。
【００１１】
上記交換方法によれば、止水こまを除去した後に工具交換してガイドを立てるので、その分だけ確実に作業ができる。
【００１２】
本発明では、前記ガイドは、前記除去工程で前記止水こまを除去することで形成された通路を通して前記分水孔まで挿入されることで該分水孔に立てられる。
【００１３】
上記交換方法によれば、除去作業で止水こまを除去することで形成された通路を利用してガイドを立てることができるので、効率よく作業をすることができる。
【発明の効果】
【００１４】
本発明の既設分水栓の交換方法によれば、止水こまを備えて水道本管に取付けられている既設分水栓を、新設サドル分水栓に容易に交換することができる。
【図面の簡単な説明】
【００１５】
【図１】本発明の第一の実施形態を表す既設分水栓の一部破断正面図である。
【図２】同既設分水栓にアタッチメントを取付けた状態の一部破断正面図である。
【図３】同アタッチメントに止水部を取付けた状態の一部破断正面図である。
【図４】同止水部の正面図である。
【図５】同止水部の底面図である。
【図６】同止水部の平面図である。
【図７】同止水部の右側面図である。
【図８】同止水部の左側面図である。
【図９】同止水部のＡ−Ａ線矢視断面図である。
【図１０】同止水部に電動穿孔機を取付けた状態の一部破断正面図である。
【図１１】同穿孔ドリルを止水孔に挿通した状態の一部破断正面図である。
【図１２】同止水弁を収納姿勢から止水姿勢に切替えた状態の一部破断正面図である。
【図１３】同止水部に閉栓装置が取付けられ、孔止水具が止水部の止水経路に挿入された状態の一部破断正面図である。
【図１４】同孔止水具が止水孔に挿入された状態の一部破断正面図である。
【図１５】同孔止水具を回転させてパッキンの下部を拡径させた状態の一部破断正面図である。
【図１６】同止水部の検出プラグを取外した状態の一部破断正面図である。
【図１７】同止水部から閉栓装置を取外した状態の一部破断正面図である。
【図１８】同既設分水栓から止水部を取外した状態の一部破断正面図である。
【図１９】同止水孔に孔止水具を残留させて既設分水栓を撤去した状態の本管の正面断面図である。
【図２０】同孔止水具を案内部材として新設サドル分水栓を本管に設置した状態の一部破断側面図である。
【図２１】同分水栓本体に切粉排出ドレンを取付けた状態の一部破断側面図である。
【図２２】同分水孔に対して孔止水具を引抜いた状態の一部破断側面図である。
【図２３】同分水孔に穿孔ドリルを貫通させた状態の一部破断側面図である。
【図２４】同既設分水栓を新設サドル分水栓に交換させた一部破断側面図である。
【図２５】本発明の第二の実施形態の既設分水栓おいて、タップバーを止水こまの凹部に挿入した状態の一部破断正面図である。
【図２６】同既設分水栓にアタッチメント、止水部を取付けた状態の一部破断正面図である。
【図２７】同止水部に対して止水こまを上動させた状態の一部破断正面図である。
【図２８】同止水部における止水弁を止水姿勢とした状態の一部破断正面図である。
【発明を実施するための形態】
【００１６】
以下、本発明の一実施形態に係る既設分水栓の撤去方法および交換方法を、図面を参照して説明する。本発明の一実施形態は、図１に示す既設分水栓１（甲分サドル）を、図２４に示す新たな分水栓すなわち新設サドル分水栓２に交換するための撤去方法であり、交換方法である。
【００１７】
図１に示すように、既設分水栓１は、止水こま３を備え且つ既設サドル４によって水道本管５（以下、本管５と称す）に取付けられている甲分サドルを意味する。
【００１８】
既設分水栓１は、本管５の上部に形成された分水孔６に、分水孔６の周辺にＯリング７を介して接続される既設サドル４と、分水孔６に接続されるとともに既設サドル４によって本管５に立設された既設管８とを備える。既設管８は、その上下方向途中に一体的に形成された、既設分水管としての分岐管ソケット９とを備える。また、既設分水栓１は、既設管８の内部に貫通された既設通水経路１０と分岐管ソケット９の内部に貫通された分岐管流路１１に対して、分水孔６からの水道水の供給を遮断可能に設けられた前記止水こま３とを備えている。
【００１９】
止水こま３は回転自在に設けられ、既設通水経路１０（既設管８）の内周に形成されたねじ１２により、昇降自在にねじ止めされる。止水こま３の上部には、止水こま３を昇降させるための開閉工具を挿入する凹部１３が形成されている。開閉工具を凹部１３に嵌合させて、開閉工具を回転させることにより、止水こま３が上下動させられる。また、既設通水経路１０（分岐管ソケット９より下側）の下部には、止水こま３の下動を制限する縮径部１４が形成されており、止水こま３が縮径部１４に当接することで止水される。
【００２０】
既設管８における本管５側の基部と既設サドル４とは、ねじ８ａによって螺合され、既設管８の基部と既設サドル４とは、分水孔６の周囲に配置されたＯリング７ａを介して取付けられている。
【００２１】
本実施形態は、このような既設分水栓１（甲分サドル）を新設サドル分水栓２に交換するために撤去する方法であり、この撤去方法は、既設分水栓１に対して、
（１）既設管８に対して止水部１５（後述する）を装着する装着工程、
（２）止水こま３を除去する除去工程、
（３）除去具（穿孔ドリル３３）を取外し、孔止水工具４０（後述するガイド）を装着する除去止水工具交換工程、
（４）孔止水工具４０で分水孔６を止水する止水工程（設置工程）、
（５）既設分水栓１を除去する撤去工程、
を備える。以下、上記工程を行うための装置および工程について述べる。
【００２２】
装着工程では、止水部１５が既設管８の先端に装着され、止水部１５の止水経路２２は、既設管８の上下方向の既設通水経路１０に対して直線状（上下方向）に連通される。また、止水部１５は、基端側が既設管８に接続され、先端側が除去工具（穿孔ドリル３３）および孔止水工具４０に接続されている。また、止水部１５は、基端と先端の間で止水するよう構成されている。
【００２３】
装着工程では、図２に示すように、既設通水経路１０の上端に、止水部１５を取付けるためのアタッチメント１６を取付け、アタッチメント１６に止水部１５を取付ける。このアタッチメント１６は、既設分水栓１の既設管８のサイズに応じた止水部１５を取付けるためのものである。ここで、アタッチメント１６の構成を説明する。
【００２４】
図２に示すように、アタッチメント１６は、既設管８を介して止水部１５を取付けるよう構成され、アタッチメント１６は、スリーブ状に形成されたアタッチメント本体１７と、アタッチメント本体１７の内部中心に、本管５の分水孔６に対して径を大きく形成された挿通孔１８を備えている。挿通孔１８は、アタッチメント本体１７を上下に貫通している。アタッチメント本体１７の底部は、既設管８の上部に着脱自在に螺合される。
【００２５】
また、アタッチメント本体１７と既設管８の上部とが螺合すると、挿通孔１８と止水こま３の凹部１３とが連通される。また、アタッチメント本体１７の上部外周には、止水部１５を取付けるための雄ねじ１７aが形成されている。
【００２６】
次に、図３ないし図９を参照して、止水部１５を説明する。止水部１５は、止水本体部１９を備え、止水本体部１９は、上本体２０と下本体２１から略円筒状に形成されている。止水本体部１９の内部には、止水経路２２が止水本体部１９の上下方向に亘って形成されている。止水経路２２は、既設管８の既設通水経路１０よりも大径に形成されている。特に、下本体２１の止水経路２２は、上本体２０の止水経路２２に比べて大径である。その理由として、後述する止水弁２３が、本管５に対して軸心方向で移動自在に構成されているからである。
【００２７】
止水部１５には、下本体２１から側方に突出した回転装置２４が設けられている。回転装置２４は、下本体２１から側方に配置される外郭体２５と、外郭体２５の側部からさらに突出した工具用摘み２６と、工具用摘み２６から外郭体２５の内部端部に配置された回転体２７と、回転体２７に連結された断面円形の杆体２８と、杆体２８を外嵌する断面矩形の摺動子２９とを備える。
【００２８】
杆体２８の外周には杆体２８の略全長に亘り雄ねじ２８ａが形成され、摺動子２９の内面には、杆体２８の雄ねじ２８ａに螺合する雌ねじが形成されている。摺動子２９は、外郭体２５の内部で本管５の軸心に対して移動する。
【００２９】
前記止水弁２３の端部は、摺動子２９の上面に連結されていて、本管５の幅方向および長さ方向に延長され、上本体２０の止水経路２２を覆うことができるような大きさの板状に形成されている。また、止水弁２３は、外郭体２５の上部に収納可能な大きさに形成され、止水弁２３の収納に際し、上本体２０の止水経路２２は全く開放されている。
【００３０】
止水部１５は、このような構成を有しており、工具用摘み２６を回転させると、摺動子２９が止水経路２２の径方向に沿って移動し、止水部１５は、止水弁２３により上本体２０の止水経路２２を止水した止水姿勢Ｂ１（図１２参照）と、上本体２０の止水経路２２を下本体２１の止水経路２２に対して開放して、外郭体２５の上部に収納された収納姿勢Ｂ２に切替えられる。
【００３１】
なお、上本体２０の途中には、止水経路２２に外観において水道水の供給があるかないかを検出する窓３０が形成されており、この窓３０には、検出プラグ３１が着脱自在に設けられている。また、止水本体部１９の上部外周面には、後述する電動穿孔機３２が外嵌される雄ねじ１９ａが形成されている。このように装着工程では、止水経路２２が既設通水経路１０に上下に連通し、止水経路２２と既設通水経路１０の間に止水弁２３が位置される。
【００３２】
除去工程は、既設管８の通水経路１０に設けられている止水こま３を除去する工程である。止水こま３を除去するのに除去工具が用いられ、除去工具は、通水経路１０を上（先端）側から下（基部）側へ向けて挿通することで、止水こま３を除去する。除去工程は、上下に連通している止水経路２２および通水経路１０に除去工具を挿通して、止水こま３を除去する工程である。除去工具は、既設管８の上に立設（装着）される。換言すれば、除去工具は止水部１５の上に立設（装着）される。
【００３３】
図１０で示すように、除去工具である穿孔ドリル３３を、既設通水経路１０内に通して止水こま３を破壊する。電動穿孔機３２は、止水本体部１９の上部外周面の雄ねじ１９ａに外嵌され、下穿孔機３４と上穿孔機３５とを備え、その内部には、穿孔ドリル３３を挿通可能な挿通経路３６が形成されている。挿通経路３６の径は、止水本体部１９の止水経路２２よりも大径に形成されている。
【００３４】
穿孔ドリル３３は、上下方向に長いドリル本体３７と、ドリル本体３７の先端に取付けられ、本管５の分水孔６と略同径に形成されたドリル部３８とを備える。
【００３５】
装着工程、除去工程についてさらに述べる。まず、装着工程として、既設管８にアタッチメント１６を取付け（図２参照）、アタッチメント１６に止水部１５を取付ける（図３参照）。このとき、止水部１５は、上本体２０の止水経路２２を開放して、外郭体２５が止水経路２２から外れた収納姿勢Ｂ２としておく。
【００３６】
除去工程として、止水部１５に電動穿孔機３２を取付ける（図１０参照）。また、電動穿孔機３２の挿通経路３６に穿孔ドリル３３を挿通し、穿孔ドリル３３のドリル部３８を、止水こま３の凹部１３に宛がう。そして、穿孔ドリル３３を回転し、また下動させることで、止水こま３が粉砕されて破壊される。粉砕された止水こま３は、分岐管ソケット９の分岐管流路１１に対して水道水を供給可能としておくことで、既設管８の既設通水経路１０から流れ出る。また、図１１に示すように、穿孔ドリル３３のドリル部３８は、分水孔６に内嵌して回転する。これにより、穿孔ドリル３３は、分水孔６の周面を削る。
【００３７】
このようにした後、電動穿孔機３２の挿通経路３６から、穿孔ドリル３３を、止水弁２３よりも上に引き上げる（上に動かす）。そして、図１２に示すように、止水部１５においては、工具用摘み２６を工具で把持して、外郭体２５の上部に収納された収納姿勢Ｂ２から、止水経路２２を止水した止水姿勢Ｂ１に切替えて（止水弁２３を閉じ）止水する。そして、電動穿孔機３２は、止水部１５から取外される。
【００３８】
このような除去工程によって、止水こま３が穿孔ドリル３３によって破壊された後に、装着工程で示したように、既設管８に止水部１５を取付けることによれば、止水弁２３によって分水孔６から離れた位置で、水道水の流れを遮断（止水）できる。
【００３９】
装着工程では、既設管８に対して止水部１５を装着し、除去工程では、既設管８に挿通可能な穿孔ドリル３３により止水こま３を除去する。本実施形態では、装着工程として止水部１５を既設管８に装着し、除去工程として、除去工具（穿孔ドリル３３）を止水部１５（既設管８）に取付けた後に該除去工具で止水こま３を破壊（除去）し、分水孔６の周面を切削した後、除去工具を元の位置に引き上げることで、止水こま３が除去される。
【００４０】
次に、工具交換工程を行う。この工具交換工程は、前記除去工程と後述の止水工程（設置工程）との間で、止水部１５で止水した状態で除去工具を他の工具に交換する工程である。除去工具を、後述の孔止水工具４０に交換する場合を除去止水工具交換工程と称し、後述のガイドに交換する場合を除去ガイド交換工程と称する。本実施形態では、孔止水工具４０がガイドとして機能するため、除去止水工具交換工程と除去ガイド交換工程とは、同じ工程となる。
【００４１】
孔止水工具４０は、断面円形の杆状に形成された孔止水工具本体４１と、孔止水工具本体４１の下部先端に形成された先細りの尖端４２と、尖端４２側の孔止水工具本体４１に形成され拡幅を許容されたパッキン４３と、孔止水工具本体４１の上部基端に形成された操作部４４とを備える。孔止水工具本体４１は、分水孔６よりもわずかに小径に形成されている。パッキン４３の径は、縮径状態において、分水孔６よりもわずかに小径に形成されている。
【００４２】
本管５の分水孔６を止水する孔止水工具４０を取付けて止水するための装置を説明する。これには閉栓装置４５が用いられる。閉栓装置４５は、止水部１５に取付けられる案内部４６と、案内部４６とは別体であり、孔止水工具４０の案内部４６に対して上方に離間し、操作部４４を回転自在に且つ着脱自在に把持する閉栓器４７と、閉栓器４７に内嵌されて本管５の表面に接触可能なゲージ４８とを有する。
【００４３】
案内部４６は、止水本体部１９の上部外周面の雄ねじ１９ａによって取付けられている。案内部４６の中心には、孔止水工具本体４１を挿通する挿通部４９が形成されている。案内部４６を止水本体部１９に取付けた際に、案内部４６の挿通部４９は、止水本体部１９の止水経路２２と連通している。
【００４４】
図１４に示すように、ゲージ４８は、本管５の軸心方向に沿う水平部５０と、水平部５０の端部から本管５の外周面に向かって垂下する鉛直部５１とから、杆状のＬ字型に形成されている。閉栓器４７は操作部４４を覆うように構成され、閉栓器４７の上端には、ゲージ４８の水平部５０を内嵌する把持部５２が形成されている。
【００４５】
止水部１５から取外された穿孔ドリル３３を孔止水工具４０に交換するのは、図１３に示すように、止水部１５に案内部４６を取付け、案内部４６の挿通部４９に対して、孔止水工具４０の尖端４２から孔止水工具本体４１を、上方から挿入し、また、ゲージ４８の水平部５０を把持部５２に内嵌させた閉栓器４７で、孔止水工具４０の操作部４４を覆う。
【００４６】
工具交換工程は、除去工程の後に止水部１５で止水した状態で止水工具を後工程で用いる工具に交換する工程である。工具交換工程は、既設管８に対して本管５と反対側の経路、具体的には止水部１５の止水経路２２にて止水し、除去工具よりも本管５側の経路、具体的には止水経路２２で止水する。すなわち止水経路２２は、径方向で横切る止水弁２３で止水される。そして、除去工具を既設管８（止水部１５）から取外し、既設管８に孔止水工具４０（ガイド）を装着し、孔止水工具４０（ガイド）を止水部１５の上に装着する。また、孔止水工具４０（ガイド）は、既設管８の通水経路１０に挿通可能なように装着される。具体的には、孔止水工具４０（ガイド）は、止水経路２２と通水経路１０に接続可能に装着される。
【００４７】
工具交換工程として、孔止水工具４０に交換する場合は、除去工程と止水工程との間の除去止水工具交換工程であり、ガイドに交換する場合は、除去工程と設置工程との間の除去ガイド交換工程である。そして、本実施形態では、後述のように孔止水工具４０がすなわちガイドとなるため、除去止水工具交換工程と除去ガイド交換工程とは同じ工程となる。
【００４８】
次に、止水工程に移る。止水工程は、分水孔６に栓をすることで止水する工程である。すなわち、本管５から分水孔６を介して水道水が外部へ流れるのを止める。これには、パッキン４３を分水孔６の内周面に圧着させて止水する、あるいはパッキン４３を本管５の内周面における分水孔６まわりの周縁部に密着させて分水孔６を止水する、もしくは両方で分水孔６を止水するものである。また、除去工程で止水こま３を除去して形成された通路に孔止水工具４０を挿通して、分水孔６を止水する。
【００４９】
具体的には、図１４に示すように、閉栓器４７を押し下げるようにして、案内部４６の内周（挿通部４９）で案内すると、孔止水工具４０が下動し、孔止水工具４０の尖端４２から孔止水工具本体４１が、止水部１５の止水経路２２、アタッチメント１６の挿通孔１８、そして、既設管８の既設通水経路１０に挿通され、尖端４２が本管５の分水孔６から本管５の内部に入り、パッキン４３の上部が分水孔６の周面に嵌合する。尖端４２が本管５の内部に入り、パッキン４３の上部が分水孔６の周面に嵌合したことは、予めゲージ４８の鉛直部５１の下端が本管５の外周面に至ることで検出される。その後、図１５で示すように閉栓装置４５（閉栓器４７）を回転させて、パッキン４３の下部を拡径して、分水孔６をパッキン４３で止水する。
【００５０】
ここで、本実施形態では止水工程が設置工程でもある。この設置工程は、分水孔６の中心軸線に沿うようにガイドを立設する工程である。ガイドは、分水孔６から本管５の径方向外向きに延出するように立設される。また、ガイドの先端が分水孔６に係止することで立設される。なお、ガイドは分水孔６に係止することによる止水であってもよいし、栓とは別の構成で分水孔６に立設することで、止水しなくてもよい。また、設置工程では、前記除去工程で止水こま３を除去して形成された通路を利用して、ガイドを立設する。また、設置工程では、ガイドは、止水経路２２と通水経路１０を挿通する。この場合は、孔止水工具４０がガイドであり、孔止水工具本体４１がガイド本体であり、パッキン４３（止水体）が孔係止部となる。
【００５１】
そして、図１６で示すように、止水部１５の検出プラグ３１を外し、窓３０から外観することで、パッキン４３によって分水孔６からの止水ができているかを確認する。
【００５２】
次に、撤去工程に移る。撤去工程は、閉栓装置４５を除去し、止水部１５を除去し、既設分水栓１（既設管８、分岐管ソケット９、既設サドル４、Ｏリング７）を除去する工程である。すなわち、分水孔６からの止水ができているかを確認したら、孔止水工具４０は分水孔６に残留させたまま閉栓装置４５を取外す。続いて、図１７から図１８に示すように、止水部１５を既設管８から取外し、孔止水工具４０を分水孔６に立設した状態で、既設サドル４、既設管８だけにし、続いて図１９に示すように、既設サドル４を本管５から取外す。
【００５３】
このように、本管５の分水孔６に対し、孔止水工具４０を立設したまま止水することで、既設分水栓１が、止水こま３を備え且つ既設サドル４によって本管５に取付けられていても、分水孔６から水道水が漏れることなく撤去できる。
【００５４】
既設分水栓１の撤去方法によれば、止水部１５で止水した状態で、穿孔ドリル３３および孔止水工具４０を工具交換できるので、分水孔６から漏水させずに作業できる。また、孔止水工具４０は、穿孔ドリル３３で止水こま３を除去することで形成された通路を通して、分水孔５まで挿入することができるから、効率的に作業ができる。
【００５５】
次に、既設分水栓１の交換方法を説明する。交換方法は、撤去方法にて既設分水栓１を撤去した後に（図１９参照）、新設サドル分水栓２を設置する方法（図２４参照）である。この交換方法は、分水栓工程、通水工程を含む工程である。
【００５６】
除去工程については、前記（２）と同じ工程として撤去方法で行われ、設置工程についても、図１８のように、撤去方法において、孔止水工具４０（ガイド４０）を分水孔６に立設した状態とされることで行われている。ここで、孔止水工具４０であるガイド４０によって新設サドル分水栓２を誘導して、本管５に設置する分水栓工程を説明する。
【００５７】
はじめに、新設サドル分水栓２について説明するが、例えば図２０に示すように、新設サドル分水栓２は一般的な構成であるため、概略を説明する。新設サドル分水栓２は、本管５の上部周面を覆って本管５の軸心方向に所定距離を有したサドル５３と、サドル５３にボルト・ナットＢＮを介して本管５の下部に取付けられるバンド５４と、分水栓本体５５とを備える。
【００５８】
サドル５３の中心には、分水栓本体５５を取付けるための開口５３ａが形成されている。サドル５３は、本管５の分水孔６の周辺に新たなガスケット７Ａを介して接続される。また、新設サドル分水栓２は、サドル５３に対して取付けられる分水栓本体５５を備える。分水栓本体５５の下部外周には、サドル５３における開口５３ａに螺合する雄ねじ５５ａが形成されている。
【００５９】
分水栓本体５５は、内部に上下方向の流路を備えるとともに、該流路にボール型弁体５６を備える。ボール型弁体５６は、その中心に弁孔５７が貫通されている。分水栓本体５５の側部に、ボール型弁体５６を回転操作するための操作ハンドル５８を備えている。なお、前記流路のうち、ボール型弁体５６の上側を上流路５９、下側を下流路６０と称する。
【００６０】
新設サドル分水栓２は、分水栓本体５５の側部に、給水配管６１を備え、その内部には、前記流路に連通する配管路６２を備えている。また、分水栓本体５５の上部外周には雄ねじ５５ｂが形成され、給水配管６１の側部外周には雄ねじ６１ａが形成されている。
【００６１】
分水栓工程は、本管５の分水孔６にガイド４０を案内部材として、図２０に示すように、新設サドル分水栓２を設置する工程である。すなわち、一例として、ガスケット７Ａ付きのサドル５３と、サドル５３の開口５３ａ（雌ねじ）に分水栓本体５５の雄ねじ５５ａを螺合させた分水栓本体５５を組品として、分水栓本体５５における下流路６０、上流路５９、下流路６０および上流路５９を開放した（開姿勢とした）ボール型弁体５６を、ガイド４０に沿って案内させ、サドル５３を本管５の外周まで到達させる。その後に、ボルト・ナットＢＮを介して本管５の下部にバンド５４を取付け、サドル５３を本管５の外周に固定する。このように、ガイド４０を案内部材として新設サドル分水栓２を本管５に設置すれば、特別な技能なくして、新設サドル分水栓２を設置できる。
【００６２】
次に通水工程を説明する。通水工程は、分水孔６を止水するガイド４０を除去して各戸へ水道水が供給され得る工程である。新設サドル分水栓２を設置するためには、ガイド４０によって止水された水道水を、通水可能なように除去する必要がある。そのため、まず図２１に示すように、給水配管６１の側部外周の雄ねじ６１ａに、公知の切粉排出ドレン６３を接続する。この切粉排出ドレン６３は内部に弁体６３ａを備え、弁体６３ａを開閉する摘み６３ｂを備えている。また、分水栓本体５５の上部外周に形成された雄ねじ５５ｂに、閉栓装置４５を取付ける。閉栓装置４５は、ゲージ４８を有さないだけで、図１３〜図１６に示した通りである。
【００６３】
そして、切粉排出ドレン６３の摘み６３ｂを操作して弁体６３ａを閉姿勢（配管路６２を止水する姿勢）とする。また、閉栓装置４５は、閉栓器４７を回転させることで、拡径されたパッキン４３の下部を復元する（上下に伸ばす）。そして、図２２に示すように、分水孔６、下流路６０、弁孔５７、および上流路５９に対しガイド４０を引き上げる。その際、切粉排出ドレン６３の弁体６３ａを閉姿勢としていることで、水道水の噴出が避けられる。また、分水栓本体５５のボール型弁体５６を閉姿勢として、分水栓本体５５から閉栓装置４５およびガイド４０を取外す。
【００６４】
次に、図２３で示すように、再び電動穿孔機３２を分水栓本体５５の上部外周に形成した雄ねじ５５ｂに取付け、電動穿孔機３２内に穿孔ドリル３３を取付けるとともに、操作ハンドル５８を回転操作し、ボール型弁体５６を、上流路５９、弁孔５７、および下流路６０を連通させる開姿勢とし、穿孔ドリル３３のドリル部３８を、分水孔６に穿孔させ、ドリル部３８を本管５内に挿入させる。ドリル部３８の径は、分水孔６の径よりもわずかに大きく形成されている。ドリル部３８が分水孔６を通ると、ドリル部３８の径は分水孔６の径よりもわずかに大きく形成されていることにより、分水孔６の径は、その分だけ大きくなって、分水孔６はその径を中心とした新たな分水孔６となる。そして、新たな分水孔６では、ドリル部３８の拡径により、後述のスリーブ取付けに適した径となる。
【００６５】
そして、穿孔ドリル３３を分水栓本体５５から引き上げ、ボール型弁体５６を閉姿勢として、電動穿孔機３２を分水栓本体５５から外す。また、図２４に示すように、分水孔６に貫入して保持されるスリーブ６４（分水孔６を保護するためのものである）を取付けるために、スリーブ挿入器（図示せず）を準備し、ボール型弁体５６を開姿勢として、スリーブ挿入器によってスリーブ６４を分水孔６に取付ける。
【００６６】
スリーブ６４を分水孔６に取付けた後、スリーブ挿入器を、分水孔６、下流路６０、弁孔５７、および上流路５９から引き上げ、ボール型弁体５６を閉姿勢とし、スリーブ挿入器を外し、分水栓本体５５の上部外周に形成した雄ねじ５５ｂにキャップ６５を螺合する。そして、切粉排出ドレン６３を取外し、本管５から各戸へ給する新たな継手６６を準備して、給水配管６１の側部外周の雄ねじ６１ａに取付け、ボール型弁体５６を開姿勢とする。これにより、各戸へ水道水が供給され得る開設状態（通水工程）となる。
【００６７】
本実施形態によれば、既設管８の上に止水部１５を取付け、止水部１５の上に工具を取付けるようにしている。このように止水部１５の上に工具を取付けるようにすれば、工具を容易に交換でき、作業を簡易化できる。また、孔止水工具をもって分水孔に栓をすることで、止水しつつガイドを立設することができて作業効率を向上させることができる。
【００６８】
本発明は、上記実施形態に限定されず、本発明の主旨を逸脱しない範囲で種々変形が可能である。その他、各部の具体的構成についても上記実施形態に限られるものではない。例えば、第二の実施形態として、止水こま３は、穿孔ドリル３３によって除去（破壊）される場合のみではなく、取除かれる場合も含む。この第二の実施形態を、図２５〜図２８に示す。
【００６９】
第二の実施形態では、止水こま３を取除くために杆状のタップバー６７を用いる。すなわち、図２５に示すように、タップバー６７を取付けるためのタップガイド６８を既設管８の上部に着脱自在に螺合する。タップガイド６８の内部に形成された挿通部からタップバー６７を下降させて、タップバー６７の先端を止水こま３の凹部１３に挿入し、止水こま３を縮径部１４まで降ろして（図２５の仮想線参照）、タップガイド６８を既設管８から外す。止水こま３を縮径部１４まで降ろしたときに、分水孔６が間接的に止水される。
【００７０】
そして、タップバー６７を縮径部１４まで降ろした状態で、図２６で示すように、第一の実施形態と同様のアタッチメント１６を、既設管８の上部に着脱自在に螺合し、アタッチメント１６に、第一の実施形態と同様の止水部１５を取付ける。このとき、回転体２７を回転操作して、止水弁２３を収納姿勢Ｂ２とする。また、止水部キャップ６９を、タップバー６７に外嵌するようにして、止水本体部１９の上部外周面の雄ねじ１９ａに螺合する。そして、図２７に示すように、止水こま３を止水部キャップ６９まで引き上げ、回転体２７を回転操作して、止水弁２３を止水姿勢Ｂ１とし、図２８に示すように、止水部キャップ６９およびタップバー６７を止水部１５から外す。
【００７１】
この作業により、本管５に既設分水栓１を取付けたまま、止水こま３の取外し、および止水ができる。その後は、第一の実施形態で示した図１３から図２４までの方法で、既設分水栓１を撤去し、新設サドル分水栓２に交換できる。
【００７２】
上記実施形態では、止水部１５に平板状の止水弁２３を形成した。しかしながら、止水部１５はボール型弁体としてもよい。この場合、弁孔に孔止水工具４０が挿通される。
【００７３】
上記実施形態では、分水孔６に孔止水工具４０を立設して、これを新設サドル分水栓２のガイドとして設けた。しかしながら、孔止水工具４０以外に分水孔６の孔周面、あるいは本管５の表面における分水孔６の周囲で止水するものであってもよい。
【００７４】
また、上記実施形態は、孔止水工具４０を分水孔６に配置した。しかしながら、孔止水工具であれば、ガイドとして立設するもの、あるいは立設しないものも含んでいる。また、ガイドであれば、分水孔６を止水するもの、あるいは止水しないものも含まれる。
【符号の説明】
【００７５】
１：既設分水栓、２：新設サドル分水栓、４：既設サドル、５：本管、６：分水孔、８：既設管、９：分岐管ソケット、１０：既設通水経路、１１：分岐管流路、１３：凹部、１４：縮径部、１５：止水部、１６：アタッチメント、１８：挿通孔、１９：止水本体部、２２：止水経路、２３：止水弁、２５：外郭体、２７：回転体、２８：杆体、２９：摺動子、３２：電動穿孔機、３３：穿孔ドリル、３６：挿通経路、３７：ドリル本体、３８：ドリル部、４０：孔止水具、４３：パッキン、４４：操作部、４５：閉栓装置、４６：案内部、４７：閉栓器、４９：挿通凹部、５２：把持部、５３：サドル、５５：分水栓本体、５６：ボール型弁体、５７：弁孔、５８:操作ハンドル、５９:上流路、６０：下流路、６１：給水配管、６２：配管路、Ｂ１：止水姿勢、Ｂ２：収納姿勢
【図１】
2020153452.tif 000003
【図２】
2020153452.tif 000004
【図３】
2020153452.tif 000005
【図４】
2020153452.tif 000006
【図５】
2020153452.tif 000007
【図６】
2020153452.tif 000008
【図７】
2020153452.tif 000009
【図８】
2020153452.tif 000010
【図９】
2020153452.tif 000011
【図１０】
2020153452.tif 000012
【図１１】
2020153452.tif 000013
【図１２】
2020153452.tif 000014
【図１３】
2020153452.tif 000015
【図１４】
2020153452.tif 000016
【図１５】
2020153452.tif 000017
【図１６】
2020153452.tif 000018
【図１７】
2020153452.tif 000019
【図１８】
2020153452.tif 000020
【図１９】
2020153452.tif 000021
【図２０】
2020153452.tif 000022
【図２１】
2020153452.tif 000023
【図２２】
2020153452.tif 000024
【図２３】
2020153452.tif 000025
【図２４】
2020153452.tif 000026
【図２５】
2020153452.tif 000027
【図２６】
2020153452.tif 000028
【図２７】
2020153452.tif 000029
【図２８】
2020153452.tif 000030